(57)【要約】【課題】器具の支持脚と設置台の上板との合計厚みが大きく異なる場合にも単一の両挟持金具で対応できるようにした器具の転倒防止装置を提供する。【解決手段】細長い挟持片２１の一端に下向きの折曲片２１ａを一体に連続させて構成した上挟持金具２Ａと、細長い挟持片２２の一端に上向きの折曲片２２ａを一体に連続させて構成した下挟持金具２Ｂとを有し、上下各挟持金具２Ａ，２Ｂは、両折曲片２１ａ，２２ａをその長さ方向の任意のスライド位置で位置決め手段２５により固定することで、両挟持片２１，２２間の上下間隔を所望間隔に調整し得る（支持脚１４と設置台上板１５ａとの合計厚みが大きく異なる場合にも対応できる）ようにしている。【選択図】  図４
0003177390.tif 000002
【実用新案登録請求の範囲】
【請求項１】
テレビのような器具（１）の支持脚（１４）を設置台（１５）の上板（１５ａ）とともに上下から挟持する上下一対の挟持金具（２Ａ，２Ｂ）を有した器具の転倒防止装置であって、
前記上挟持金具（２Ａ）は、細長い挟持片（２１）の一端に下向きの折曲片（２１ａ）を一体に連続させて構成したものであり、前記下挟持金具（２Ｂ）は、細長い挟持片（２２）の一端に上向きの折曲片（２２ａ）を一体に連続させて構成したものであり、
前記各挟持金具（２Ａ，２Ｂ）は、前記両折曲片（２１ａ，２２ａ）をその長さ方向にスライドさせることで前記両挟持片（２１，２２）間の上下間隔を調整し得るものであり、
前記両折曲片（２１ａ，２２ａ）には、該両折曲片（２１ａ，２２ａ）を任意のスライド位置で固定するための位置決め手段（３）を設けているとともに、
前記上挟持金具（２Ａ）の挟持片（２１）には、前記支持脚（１４）を前記設置台上板（１５ａ）の上面に対して圧接固定するための固定手段（４）を設けている、
ことを特徴とする器具の転倒防止装置。
【考案の詳細な説明】
【技術分野】
【０００１】
本願考案は、テレビやパソコンの表示装置（ディスプレイ）などの器具の転倒を防止するために使用される器具の転倒防止装置に関するものである。
【背景技術】
【０００２】
テレビやパソコンの表示装置（ディスプレイ）等の器具は、その表示部（画面部）を比較的細い支柱で支え、その支柱を比較的平たい脚部（支持脚）に固定している。そして、この種の器具の多くは、支持脚部分を設置台上に載せることで据え付けられる。
【０００３】
ところで、この種の器具は、コンパクトに設計されている関係で、支持脚の面積に比べて画面部が大きく且つかなりの重量があるので、バランス的に不安定であり、地震などの振動・衝撃により転倒し易いという短所を有している。
【０００４】
そして、このように地震等による転倒を防止するために、従来から特許文献１（特開２０００−４７５９９号公報）に示される転倒防止装置（薄型表示装置のスタンド）が提案されている。
【０００５】
この特許文献１のものは、表示装置の支持脚に補助ベース板を取付け、該補助ベース板を必要に応じて支持脚から前後外方にスライドさせて、補助ベース板を設置台（机）上らネジで固定して転倒を防止するようにしている。
【０００６】
ところが、上記特許文献１の転倒防止装置では、器具の支持脚より外側に転倒防止用の補助ベース板を出っ張らせ、さらに該補助ベース板を設置台（机）にネジ止めしていたので、転倒防止（ネジ止め）のために設置台（机）を傷つけてしまうという問題がある。
【０００７】
ところで、上記した従来技術における問題点を解消するものとして、本件出願人は、既に実用新案登録第３１６９８０４号公報（特許文献２）に示される転倒防止装置を提案している。
【０００８】
この特許文献２の転倒防止装置は、器具の支持脚を設置台の上板とともに上下から挟持する一対の挟持片と該上下両挟持片の一端側を一体に連結した連結片とを有した金具本体を備え、さらに該金具本体の上挟持片に支持脚を設置台上板の上面に対して圧接固定するための固定手段を設けて構成されている。尚、この公知例（特許文献２）の転倒防止装置では、上下両挟持片間の間隔は一定（不変）である。
【０００９】
そして、特許文献２の転倒防止装置では、設置台に直接ネジ止めすることなく、器具の支持脚を設置台の上板に対して確実且つ強固に固定できるようになっている。
【００１０】
ところで、器具の支持台の厚さや設置台上板の厚さ等は、種々のものがあるが、この公知例（特許文献２）のように、上下両挟持片間の間隔が不変のものでは、支持台と設置台上板との合計厚さが薄い場合は上下両挟持片間の間隔にダブツキが生じて（余裕があり過ぎて）見栄えが悪くなり、他方、該合計厚さが上記間隔より厚過ぎる場合は対応できない（使用できない）という問題が知見された。
【先行技術文献】
【特許文献】
【００１１】
【特許文献１】特開２０００−４７５９９号公報
【特許文献２】実用新案登録第３１６９８０４号公報
【考案の概要】
【考案が解決しようとする課題】
【００１２】
そこで、本願考案は、上記した事情に鑑みてなされたものであって、器具を比較的簡易な構成で且つ強固に固定し得るようにするとともに、支持脚と設置台上板との合計厚さが大きく異なる場合にも十分に対応できるようにした器具の転倒防止装置を提供することを目的としている。
【課題を解決するための手段】
【００１３】
本願考案は、上記課題を解決するための手段として次の構成を有している。
【００１４】
本願考案は、設置台上に置かれる器具の転倒防止装置を対象としているが、転倒防止対象となる器具としては、テレビやパソコンの表示装置（ディスプレイ）などがある。尚、この種の器具は、表示部（画面部）の下部に平たい支持脚を設けて、該支持脚により自立させ得るようになっている。
【００１５】
器具を置くための設置台としては、例えばボックス形状（箱形）のものが採用可能であり、その場合には、設置台の上板の背面側下面の下方に後述する下挟持金具の挟持片を差し込むための開放部を形成しておく必要がある。
【００１６】
そして、この考案に係る器具の転倒防止装置は、器具の支持脚を設置台の上板とともに上下から挟持する上下一対の挟持金具（上挟持金具と下挟持金具）を有している。
【００１７】
上挟持金具は、細長い挟持片の一端に下向きの折曲片を一体に連続させて構成したものであり、下挟持金具は、細長い挟持片の一端に上向きの折曲片を一体に連続させて構成したものである。
【００１８】
又、上下各挟持金具は、両折曲片をその長さ方向にスライドさせることで両挟持片間の上下間隔を調整し得るようになっている。
【００１９】
そして、本願考案の転倒防止装置では、両折曲片に、該両折曲片を任意のスライド位置で固定するための位置決め手段を備えているとともに、上挟持金具の挟持片に支持脚を設置台上板の上面に対して圧接固定するための固定手段を備えている。
【００２０】
両折曲片同士を位置決めするための位置決め手段としては、例えば、一方の折曲片に設けたネジ穴と、他方の折曲片に設けた長穴と、該長穴を通して前記ネジ穴に螺合させるボルトとで構成したものを採用できる。
【００２１】
上挟持金具の挟持片に設けた固定手段としては、該挟持片にネジ穴を設ける一方、該ネジ穴に押えネジを螺合させるようにしたものを採用できる。尚、押えネジの下端には、支持脚上面に押え痕が付かないようにするための緩衝材つきの押え板を取付けることが好ましい。
【００２２】
本願考案の転倒防止装置（挟持金具）は、次のように使用される。尚、上下一対の挟持金具は、左右に２セット使用することが好ましい。
【００２３】
まず、上下挟持金具の両挟持片間の間隔を、器具の支持脚と設置台上板の合計厚さに対応して調整するが、その両挟持片間の間隔調整は各挟持金具の折曲片同士を長さ方向にスライドさせることで行える。そのとき、該両挟持片間の間隔は、上挟持片下面を支持脚上面に近づけることが好ましいが、固定手段（押えネジ）の下部に上記押え板を取付けたものでは、上挟持片下面と支持脚上面との間に該押え板を介在させるスペースを確保する。
【００２４】
そして、両挟持片間に所定間隔を維持させた状態で、位置決め手段（ボルト）により両折曲片同士を強固に固定するが、位置決め手段による両折曲片の固定状態では、上下の挟持金具が側面視において水平方向に長いコ形に連結されている。尚、上下一対の挟持金具は、同じように組付けけたものを２セット用意しておく。
【００２５】
次に、器具の支持脚を設置台上板の上に載せた状態で、上下一対の挟持金具の両挟持片で支持脚上面と設置台上板の下面とを上下から挟み込むが、該上下一対の挟持金具（２セット）は左右に離間させた２位置に使用する。そして、各上挟持片の上から固定手段(押えネジ)で支持脚の上面を押え付けることにより、上下の挟持金具（上下各挟持片）で支持脚と設置台上板とを上下から強固に挟持することができる。
【００２６】
本願考案の転倒防止装置では、上記のように、上下に２分割した各挟持金具における両折曲片部分の重合長さを調整することで、上下両挟持片間の間隔を調整し得るようになっているので、支持脚と設置台上板との合計厚さが大きく異なる場合にも単一のもの（両挟持金具）で対応できる。
【考案の効果】
【００２７】
本願考案の器具の転倒防止装置は、次のような効果がある。
【００２８】
まず、器具の支持脚を設置台の上板とともに上下から挟持する一対の挟持金具を有し、該両挟持金具の各折曲片部分の重合長さを調整することで両挟持片間の間隔を調整し得るようになっているので、固定（挟持）すべき支持脚と設置台上板との合計厚さが異なる場合にも単一のもの（両挟持金具）で対応できるという効果がある。
【００２９】
又、本願考案の転倒防止装置は、一対の挟持金具と上記位置決め手段と上記固定手段という比較的簡単な構成のもので、器具の支持脚と設置台上板とを確実且つ強固に固定できるという効果がある。
【００３０】
さらに、本願考案の転倒防止装置では、支持脚と設置台上板とを固定するのに、各側の両挟持片で上下から挟持することで行えるので、被固定物（支持脚や設置台上板）に傷がつかないという効果もある。
【図面の簡単な説明】
【００３１】
【図１】本願考案の実施例の転倒防止装置を用いた器具取付状態を示す斜視図である。
【図２】図１に使用されている転倒防止装置の分解斜視図である。
【図３】図２の転倒防止装置の組付状態を示す斜視図である。
【図４】図１における転倒防止装置部分の縦断面図である。
【考案を実施するための形態】
【００３２】
［実施例３］
以下に、本願考案に係る転倒防止装置の実施例を説明する。
【００３３】
図１は、本願実施例の転倒防止装置を用いた器具１の固定状態を示す斜視図である。そして、転倒防止対象となる器具１としては、例えばテレビやパソコンの表示装置（ディスプレイ）が適用されるが、図示の器具１は、上部の表示部（画面部）１２と、該表示部１２を支える支柱１３と、該支柱１３の下端に設けられている平たい形状の支持脚１４とを有している。支持脚１４部分は、支柱１３の両側にそれぞれかなりの面積の膨出部を有しており、該両膨出部を後述する上挟持金具２Ａ，２Ａの各挟持片２１，２１で押え得るようになっている。
【００３４】
前記器具１を載せる設置台１５としては、内部に例えばＤＶＤプレイヤー等を収納し得るようなボックスが採用可能である。この設置台（ボックス）１５の上板１５ａは、所定の厚さを有した頑丈なものとなっている。又、この設置台（ボックス）１５の背面側には裏板１５ｂが取付けられているが、該裏板１５ｂの上縁部には、前記上板１５ａの下面側に後述する下挟持金具２Ｂの挟持片２２を差し込むための隙間Ｓを確保するための切欠が設けられている。
【００３５】
この実施例の転倒防止装置には、図２及び図３に示すように、上下一対の挟持金具（上挟持金具と下挟持金具）２Ａ，２Ｂが使用されているが、この上下の各挟持金具２Ａ，２Ｂは、それぞれ次のように構成されている。
【００３６】
上挟持金具２Ａは、細長い挟持片２１の一端に下向きの折曲片２１ａを一体に連続させて構成したものである。他方、下挟持金具２Ｂは、同じく細長い挟持片２２の一端に上向きの折曲片２２ａを一体に連続させて構成したものである。これらの挟持金具（上挟持金具２Ａ及び下挟持金具２Ｂ）の材料としては、それぞれ剛性の高い（撓まない）鋼鉄製のものが好ましいが、硬質の合成樹脂製のものであってもよい。尚、上下各挟持金具２Ａ，２Ｂの各挟持片２１，２２の長さは、例えば２０〜２５cm程度が適当であり、他方、各折曲片２１ａ，２２ａの長さは、例えば８〜１０cm程度が適当であるが、何れの長さも特に限定するものではない。
【００３７】
この上下の各挟持金具２Ａ，２Ｂは、それらの各折曲片２１ａ，２２ａ同士を該折曲片の長さ方向にスライドさせることで、各側の両挟持片２１，２２間の上下間隔を調整し得るようになっている。
【００３８】
上下の挟持金具２Ａ，２Ｂにおける各折曲片２１ａ，２２ａ部分には、該両折曲片２１ａ，２２ａを所定の重合長さ状態で両挟持金具２Ａ，２Ｂを連結（固定）するための位置決め手段３が設けられている。
【００３９】
この位置決め手段３としては、この実施例では、図２に示すように、下挟持金具２Ｂの折曲片２２ａに形成したネジ穴（上下に２つある）３１，３１と、上挟持金具２Ａの折曲片２１ａに形成した長穴３２と、該長穴３２を通して前記ネジ穴３１に螺合させるボルト（２本）３３，３３とで構成されている。尚、各ボルト３３，３３の頭部（大径部）３３ａ，３３ａには、六角棒レンチ５（図２参照）の端部を係入させる六角穴（図示省略）が形成されている。
【００４０】
そして、この位置決め手段３は、図３に示すように、上挟持金具２Ａの折曲片２１ａが外側で下挟持金具２Ｂの折曲片２２ａが内側となる状態で両折曲片２１ａ，２２ａを重合させ、各ボルト３３，３３を上挟持金具２Ａ側の折曲片２１ａの長穴３２を通して下挟持金具２Ｂ側の折曲片２２ａの各ネジ穴３１，３１に螺合・緊締することで、両挟持金具２Ａ，２Ｂを固定できるようになっている。尚、位置決め手段３による固定状態では、図３に示すように、両挟持金具２Ａ，２Ｂが側面視で横長のコ形形状を呈するようになる。
【００４１】
他方、上挟持金具２Ａの上挟持片２１には、支持脚１４の上面を押し付けて該支持脚１４を設置台上板１５ａ上に圧接固定するための固定手段４が設けられている。
【００４２】
この固定手段４としては、この実施例では、上挟持金具２Ａの上挟持片２１に形成したネジ穴４１，４１・・と、該ネジ穴４１に螺合される押えネジ４２とで構成されている。
【００４３】
ネジ穴４１は、上挟持片２１の長さ方向に所定間隔をもって複数箇所（図示例では５箇所）に形成されている。
【００４４】
押えネジ４２は、２本使用されているが、器具１の支持脚１４が設置台上板１５ａ上の奥行き方向（前後方向）のどの位置に載せられるかによって、該各押えネジ４２，４２を複数のネジ穴４１，４１・・のうちの適当なネジ穴を選択して螺合させる。
【００４５】
各押えネジ４２，４２の下端には、大径の押え板４３が取付けられているとともに、該押え板４３の下面には支持脚１４上面を傷つけないようにするための緩衝材４４が貼り付けられている。又、この押えネジ４２の操作側となる端部は、ネジ穴４１に挿通可能（螺合可能）となっており、この押えネジ４２はその操作側端部をネジ穴４１に対して上挟持片２１の下面側から螺入させている。尚、押えネジ４２の操作側の端面（上端面）には、六角棒レンチ５の端部を係入させ得る六角穴４２ａが形成されている。
【００４６】
下挟持金具２Ｂの挟持片２２の上面側には、緩衝材６が貼設されていて、図４に示すように下挟持片２２を設置台１５の上板１５ａの下面にあてがったときに、該上板１５ａの下面を傷付けないようにしている。
【００４７】
図２及び図３に示す実施例の転倒防止装置は、図１及び図４に示すように使用される。尚、上下一対の挟持金具２Ａ，２Ｂは、左右に２セット使用される。
【００４８】
上下一対とする両挟持金具２Ａ，２Ｂは、まず両挟持片２１，２２間の間隔を、器具１の支持脚１４と設置台上板１５ａの合計厚さに対応して調整するが、その両挟持片２１，２２間の間隔調整は、各挟持金具２Ａ，２Ｂの両折曲片２１ａ，２２ａの重合長さを調整することで行える。そのとき、両挟持片２１ａ，２２ａ間の間隔は、支持脚１４と設置台上板１５ａの合計厚さに押えネジ４２の押え板４３（緩衝材４４を含む）の厚さを加味して、それよりやや大きい程度の間隔に設定するとよい。このようにすると、取付状態で上挟持金具２Ａの挟持片２１の高さを低くできるので、見栄えがよくなる。
【００４９】
そして、両挟持片２１，２２間に所定間隔を維持させた状態で、位置決め手段３により両折曲片２１ａ，２２ａ同士を固定するが、その固定作業は、各ボルト３３，３３を外側の折曲片２１ａの長穴３２を通して内側の折曲片２２ａの各ネジ穴３１，３１に螺合・緊締させることで行える。このとき、上挟持金具２Ａ側の各押えネジ４２，４２は、押え板４３が挟持片２１下面に近接する位置まで上動させておく（押え板４３の下方に十分な空間が形成される）。尚、上下一対の挟持金具２Ａ，２Ｂは、同じように組付けたものを２セット用意しておく。
【００５０】
他方、器具１の支持脚１４は、図１及び図４に示すように設置台上板１５ａ上の後端寄りに載せられる。そして、図４に示すように、設置台１５の後方側から、下挟持金具２Ｂの上挟持片２２を設置台上板１５ａの下面側（隙間Ｓを通して）に挿入する一方、上挟持金具２Ａの挟持片２１を支持脚１４の上方に位置させる。この状態では、上下の両挟持片２１，２２で支持脚１４上面と設置台上板１５ａ下面とを上下から挟み込んでいる。尚、上下一対の挟持金具２Ａ，２Ｂ（２セット）は、図１に示すように、左右に離間させた２位置に使用する。
【００５１】
そして、各上挟持片２１，２１の上から固定手段４の各押えネジ４２，４２で支持脚１４の上面を押え付けることにより、上下の挟持金具２Ａ，２Ｂ（上下各挟持片２１，２２）で支持脚１４と設置台上板１５ａとを上下から強固に挟持することができる。
【００５２】
この実施例の転倒防止装置では、上記のように、挟持金具を上下に２分割し（上挟持金具２Ａと下挟持金具２Ｂ）、該各挟持金具２Ａ，２Ｂの両折曲片２１ａ，２２ａ部分の重合長さを調整することで、上下両挟持片２１，２２間の間隔を調整し得るようになっている。従って、支持脚１４と設置台上板１５ａとの合計厚さが大きく異なる場合にも単一の両挟持金具２Ａ，２Ｂで対応できる。
【００５３】
又、この実施例の転倒防止装置は、一対の挟持金具２Ａ，２Ｂと上記位置決め手段３と上記固定手段４という比較的簡単な構成のものであっても、器具１の支持脚１４と設置台上板１５ａとを確実且つ強固に固定できるものである。
【００５４】
さらに、この実施例の転倒防止装置では、支持脚１４と設置台上板１５ａとを固定するのに、各側の両挟持片２１，２２で上下から挟持することで行えるので、被固定物（支持脚や設置台上板）に傷がつかない。
【符号の説明】
【００５５】
１は器具（テレビ）、２Ａは上挟持金具、２Ｂは下挟持金具、３は位置決め手段、４は固定手段、１４は器具の支持脚、１５は設置台（ボックス）、１５ａは設置台上板、２１は上挟持金具の挟持片、２１ａは上挟持金具の折曲片、２２は下挟持金具の挟持片、２２ａは下挟持金具の折曲片、３１はネジ穴、３２は長穴、３３はボルト、４１はネジ穴、４２は押えネジである。
【図１】
0003177390.tif 000003
【図２】
0003177390.tif 000004
【図３】
0003177390.tif 000005
【図４】
0003177390.tif 000006